(57)【要約】【課題】  テーブルの種々の厚みに対応できるベビー椅子を提供する。【解決手段】  一対の上アーム２の外側にシート３を取付け、前記上アーム２と支持アーム４とでテーブル５１を挟着固定するために、上アーム２から下向きに基台２ｂを形成すると共に複数個の位置調整孔７を穿設し、支持アーム４を基台２ｂに挿入可能であり、支持アーム４内に突起体１０を取付けの板バネ１２を挿入して構成する。【選択図】  図１
2006247328.tif 000002
【特許請求の範囲】
【請求項１】
一対の上アームの外側にシートを取付け、前記上アームと支持アームとでテーブルを挟着固定するベビー椅子であって、
前記上アームから下向きに基台を形成すると共に複数個の位置調整孔を穿設し、前記支持アームを前記基台に挿入可能であり、前記支持アーム内に突起体を取付けの板バネを挿入し、
前記突起体が位置調整孔から突出して固定することを特徴とするベビー椅子。
【請求項２】
基体に凸体を、その凸体に嵌合する凹溝を支持アームに、
或は、
支持アームに凸体を、その凸体に嵌合する凹溝を基体に形成する請求項１のベビー椅子。
【発明の詳細な説明】
【技術分野】
【０００１】  本発明は、ベビー椅子に関し、より詳細にはテーブル等に取り付ける椅子に関する。
【背景技術】
【０００２】  従来、テーブル等に固定するのベビー椅子は、実開平６−３６４５１号公報（図３）がある。
５２は上アームであって、テーブル側に開口部を有するＵ字状に形成されていて、その上アームの外側にベビーが座るシート５３が取り付けらてある。
一方、支持アーム５４は、端部を上アーム５２の下縁に固定し、他端部をテーブル５１の下面に当接可能に略Ｕ字状に形成してある。
尚、この支持アーム５４は前記上アーム５２の両側に形成されているし、５２ａ、５４ａはテーブル５１に損傷を与えないクッション材である。【０００３】  又、前記支持アーム５４の垂設部には、固定具５５が取り付けられてあり、この固定具５５は、支持アーム５４に位置調整可能（スライド可能）に取り付けられている支持部材５６と、この支持部材５６の上に載置固定のクッション材５７、及び前記支持部材５６を支持アーム５４の垂直部に固定するボルト５８で構成してある。尚、この固定具５５は、支持部材５６にボルト５８を介して一体になり、ネジ５８の先端を支持アーム５４に当接して固定する形式である。【０００４】  そして、前記構成のベビー椅子は、先ず、固定具５５を緩めて支持部材５６を下げ、上アーム５２と支持アーム５４をテーブル５１の端部から挿入し、その後、支持部材５６をクッション材５７がテーブル５１の裏面に当接する位置まで上げた後、ボルト５８で固定して取付けは完了し、シート５３の上にベビーを載せる。【０００５】
【特許文献１】  実開平６−３６４５１号公報
【発明の開示】
【発明が解決しようとする課題】
【０００６】  前記ベビー椅子５０は、テーブルの厚みに対応して、固定具５５で調整している。即ち、先ず、ボルト５８を緩めて、支持部材５６を下方向にスライドした後にテーブルに装着し、支持部材５６を持ち上げた後にボルト５８ををしめて固定するという煩わしい操作が必要であり、且つ、ネジの緩みによってベビー椅子がテーブルから離脱する可能性がある。
そこで、本願のベビー椅子は、厚みを異にするテーブルに装着するに当たって、簡便な操作で且つ安全な構成のものを提供する。
【課題を解決するための手段】
【０００７】  請求項１のベビー椅子は、一対の上アームの外側にシートを取付け、前記上アームと支持アームとでテーブルを挟着固定するものである。
そして、上アームから下向きに基台が形成してあると共に、基台には複数個の位置調整孔が穿設してある。また、支持アームは基台に挿入可能であり、支持アーム内には板バネで付勢状態の突起体が内挿してある。
そのため、突起体が突出する位置調整孔を変更することによって、テーブルの厚みに対応することができる。【０００８】  又、請求項２の発明は、支持アームを基台に挿入するに当たって、突起体が突出する位置調整孔に対応可能に凸体と、その凸体に嵌合する凹溝を形成してあるので、容易に対処できる。
【発明の効果】
【０００９】  本願のベビー椅子は、テーブルの厚みに容易に対処できる。
【発明を実施するための最良の形態】
【００１０】  本願発明の一実施の形態を図面を参照して説明する。図１はベビー椅子１の全体の正面図、部分拡大断面図、及びＡ〜Ａ断面図である。
上アーム２はテーブル５１側に開口の開口部を有するＵ字状の形状にパイプを曲げて製作され、先端部はクッション材２ａで覆って、テーブル５１の表面に載置可能であり、後部にはベビーが座るシート３が取り付けてある。【００１１】  又、前記上アーム２のクッション材２ａとシート３の間には、下向きに中空（パイプ状）の、左右一対の基台２ｂが形成してある。そして、これら一対の基台２ｂには、後述する突起体１０が出没可能な位置調整孔７が、縦方向に３固穿設してある。
又、これら一対の基台２ｂの内周部には、凸体２ｃが前記位置調整孔７より９０°回転した位置に、前記基台２ｂの長さに形成してある。【００１２】  支持アーム４は、略Ｕ字型に曲折形状であり、端部４ａを前記基体２ｂに挿入可能になっている一方、他端部４ｂはクッション材５で覆い、テーブル５１の裏面に当接可能に形成してある。尚、この支持アーム４は一対ある。
又、前記各支持アーム４の水平部には、中間支持部６が設けてあり、この中間支持部６の端部には水平の支持台６ａがクッション材で覆われ、前記テーブル５１の裏面を支持可能になっている。
尚、この中間支持部６は、支持アーム４の水平部に設けてあるが、垂直部に設けてもよい。【００１３】  又、前記支持アーム４の端部４ａの内周部には、Ｕ字状の板バネ１２が内装してあると共に、その板バネ１２に前記突起体１０が固定してある。突起体１０は、常時、位置調整孔７から突出するように付勢されている。
そして、この突起体１０が、前記位置調整孔７の何れに挿入されるかによって、テーブル５１の種々の厚みに対応可能になっている。従って、この位置調整孔７を形成する間隔及び数は、対応可能なテーブル５１の厚みで選定する。
又、前記基台２ｂの内周部に形成の凸体２ｃに嵌合可能に、支持アーム４の端部４ａの内周部には凹溝４ｄが形成してあり、支持アーム４の昇降（スライド）に対して、突起体１０と位置調整孔７が対応可能になっている。
尚、前記凹溝４ｄを基台２ｂに、凸体２ｃを支持アーム４に形成してもよい。【００１４】  次に、前記構成のベビー椅子１を厚みを異にするテーブル５１に取り付ける方法について、図２を参照して説明する。尚、図２の（Ａ）（Ｂ）は、テーブル５１の厚みを異にするものであり、突起体１０が挿入する位置調整孔７を異にする。【００１５】  そこで、ベビー椅子１を取り付ける操作について説明すると、先ず、支持アーム４を基体２ｂから取り外すには、突起体１０を押える。この突起体１０を押えると、板バネ１２が曲折して、突起体１０は位置調整孔７内に没入し、支持アーム４の端部４ａを基台２ｂから抜くことができる。【００１６】  次に、ベビー椅子１の上アーム２のクッション材２ａをテーブル５１の上に載置し、支持アーム４の端部４ａを基台２ｂに挿入すると、支持アーム４の他端部４ｂのクッション材５と、中間支持部６の支持台６ａのクッション材がテーブル５１の裏面に当接し、テーブル５１を上アーム２とで挟着状態になる。
そして、突起体１０は、板バネ１２の付勢によって、テーブル５１の厚みに対応した位置調整孔７から突出して固定状態になる。【００１７】  尚、支持アーム４の端部４ａの内周部に形成の凹溝４ｄは、基台２ｂの内周部に形成の凸体２ｃに対応して、支持アーム４の端部４ａの内周に形成の凸体２ｃは嵌合しているので、これらの凹溝と凸体に誘導されるので、昇降させるだけで、突起体１０は位置調整孔７から突出して、このベビー椅子を、上アーム２と支持アーム４と中間支持部６とで挟着固定する。【００１８】  図２（Ａ）は、突起体１０が２個の位置調整孔７に挿入された状態であり、図２（Ｂ）は、突起体１０が１個の位置調整孔７に挿入された状態であり、図２（Ａ）の方がテーブル５１の厚みが薄い場合の装着状態を示す。
以上のように、このベビー椅子１は、単に、支持アーム４の端部４ａを基台２ｂに挿入するという操作で、テーブル５１の厚みに応じて対処できる。
【図面の簡単な説明】
【００１９】
【図１】  本願発明の正面図、部分拡大断面図、Ａ〜Ａ断面図である。
【図２】  （Ａ）（Ｂ）は、ベビー椅子をテーブルの厚みを異にしたときの正面図と位置調整部の断面図である。
【図３】  従来のベビー椅子の正面図である。
【符号の説明】
【００２０】  ２  上アーム
２ｂ  基台
２ｃ  凸体
３  シート
４  支持アーム
４ｄ  凹溝
７  位置調整孔
１０  突起体
１２  板バネ
【図１】
2006247328.tif 000003
【図２】
2006247328.tif 000004
【図３】
2006247328.tif 000005